(57)【特許請求の範囲】
【請求項１】
遊技球を発射する発射装置と、該発射装置における遊技球の発射勢を変更する発射勢変更手段と、該発射勢変更手段を操作するための発射操作装置とを備えた弾球遊技機であって、
前記発射操作装置は、
前記弾球遊技機に固定されるベース体と、
主回転軸心を中心として回転自在に前記ベース体に支持され、遊技者からの操作に応じて回転する主発射レバーと、
前記ベース体と前記主発射レバーとの間に配置され、前記主回転軸心と略平行な副回転軸心を中心として回転自在に前記主発射レバーに支持され、前記副回転軸心を中心とした円弧状の副発射歯車部を有し、前記主発射レバーの回転に伴って前記主回転軸心の周囲を公転するとともに、遊技者からの操作に応じて前記副回転軸心を中心として自転する副発射レバーと、
前記ベース体と前記主発射レバーとの間に配置され、前記主回転軸心を中心として発射勢増大方向及び発射勢減少方向へ回転自在に前記ベース体又は前記主発射レバーに支持され、前記主回転軸心を中心とした円弧状であって前記副発射歯車部と噛合する操作歯車部を有する第１ギヤ体と、
前記ベース体と前記第１ギヤ体との間に配置され、前記主回転軸心を中心として発射勢増大方向及び発射勢減少方向へ回転自在に前記ベース体又は前記主発射レバーに支持され、前記主回転軸心を中心とした円弧状の伝達歯車部を有する第２ギヤ体と、
前記ベース体と前記主発射レバーとの間に配置され、前記主回転軸心と略平行な調整回転軸心を中心として回転自在に前記ベース体に支持され、前記調整回転軸心を中心とした円弧状であって前記伝達歯車部と噛合する調整歯車部を有し、前記第２ギヤ体の回転を前記発射勢変更手段に伝達する調整ギヤ体と、
前記第２ギヤ体の発射勢増大方向への回転可能限度を最大発射勢位置に規制する最大発射勢設定手段と、
前記第１ギヤ体と前記第２ギヤ体の間に設けられ、前記第１ギヤ体と前記第２ギヤ体とが所定の基本相対回転位置に設定された状態で、前記第１ギヤ体及び前記第２ギヤ体と係合してこれら両ギヤ体間の相対回転を規制し、前記基本相対回転位置から発射勢増大方向への前記第２ギヤ体の回転が規制された状態で前記第１ギヤ体に発射勢増大方向への回転力が付与された場合、前記第１ギヤ体又は前記第２ギヤ体との係合が解除されて前記第２ギヤ体に対する前記第１ギヤ体の発射勢増大方向への相対回転を許容し、且つ前記第１ギヤ体が前記第２ギヤ体に対して前記基本相対回転位置から発射勢増大方向へ相対回転した状態で前記第１ギヤ体に発射勢減少方向への回転力が付与された場合、前記第２ギヤ体に対する前記第１ギヤ体の発射勢減少方向への相対回転を許容して前記両ギヤ体を前記基本相対回転位置へ復帰させる相対回転制御機構と、を備えた
ことを特徴とする弾球遊技機。
【請求項２】
請求項１に記載の弾球遊技機であって、
前記相対回転制御機構は、伝達ガイドと伝達ガイド付勢手段と係止突起と係合凹部と傾斜ガイド面とを有し、
前記伝達ガイドは、前記第１ギヤ体及び前記第２ギヤ体のうち一方のギヤ体に、前記主回転軸心に沿ってスライド移動自在で且つ当該一方のギヤ体に対する相対回転が規制された状態で支持され、
前記伝達ガイド付勢手段は、前記第１ギヤ体及び前記第２ギヤ体のうち他方のギヤ体に向かって前記伝達ガイドを付勢し、
前記係合凹部及び前記傾斜ガイド面は、前記伝達ガイド及び前記他方のギヤ体のうち一方の部材に設けられ、
前記係止突起は、前記伝達ガイド及び前記他方のギヤ体のうち他方の部材に設けられ、前記両ギヤ体が基本相対回転位置に設定された状態で、前記伝達ガイド付勢手段の付勢力によって前記係合凹部と係合し、
前記係止突起と前記係合凹部との係合は、前記両ギヤ体の相対回転を規制し、
前記傾斜ガイド面は、前記主回転軸心を中心とした円弧状で且つ前記他方の部材に向かって傾斜するように、前記係合凹部から発射勢増大方向へ延び、
前記基本相対回転位置から発射勢増大方向への前記第２ギヤ体の回転が規制された状態で前記第１ギヤ体に発射勢増大方向への回転力が付与された場合、前記係止突起が前記伝達ガイド付勢手段の付勢力に抗して前記係合凹部から前記傾斜ガイド面に乗り上がり、前記第２ギヤ体に対する前記第１ギヤ体の発射勢増大方向への相対回転が許容され、
前記第１ギヤ体が前記第２ギヤ体に対して前記基本相対回転位置から発射勢増大方向へ相対回転した状態で前記第１ギヤ体に発射勢減少方向への回転力が付与された場合、前記傾斜ガイド面上の前記係止突起は、前記伝達ガイド付勢手段の付勢力と前記傾斜ガイド面の傾斜とによって前記係合凹部へ向かってスライド移動する
ことを特徴とする弾球遊技機。
【請求項３】
請求項１又は請求項２に記載の弾球遊技機であって、
前記発射操作装置は、前記第２ギヤ体の発射勢減少方向への回転限度を、遊技球の発射が停止する原点位置に規制する最小発射勢設定手段をさらに備えた
ことを特徴とする弾球遊技機。
【発明の詳細な説明】
【技術分野】
【０００１】
本発明は、遊技盤の遊技領域に遊技球を発射して遊技を行う弾球遊技機に関する。
【背景技術】
【０００２】
特許文献１には、ベースとヘッドの間で回動可能に設けられた打球力調整ホイールに、中心ギヤとアイドルギヤと操作子がそれぞれ回動可能に付設された打球力調整用操作装置が記載されている。中心ギヤは、打球力調整ホイールと同軸線上で回動可能に設けられ、アイドルギヤと外接噛合いする。操作子は、打球力調整ホイールの周縁部に回動可能に付設される。打球力調整ホイールは、捩りバネにより打球力の減少方向に付勢され、操作子は、捩りバネにより押圧部が打球力調整ホイールの外周端面より外方に突出する方向に付勢される。操作装置本体のベースにはボリュームが取り付けられ、その信号入力軸に中心ギヤと噛合うギヤが取り付けられる。中心ギヤの回転量に比例した大きさの信号がボリュームから発射装置に入力され、これによって打球力が増減する。
【０００３】
打球力調整ホイールを捩りバネの弾力に抗して打球力の増大方向に回転させたとき、その回動操作力が中心ギヤの回りを旋回する操作子からアイドルギヤを介して中心ギヤに伝達され、これにより中心ギヤも打球力の増大方向に回動する。又、打球力調整ホイールを任意の回動位置に拘束し、操作子の押圧部を捩りバネの弾力に抗して押圧操作したときにも、伝動ギヤ部の回動によりアイドルギヤから中心ギヤに回転力が伝達されて中心ギヤが打球力の増大方向に回動する。
【先行技術文献】
【特許文献】
【０００４】
【特許文献１】特開２００７−１４３９４９号公報
【発明の開示】
【発明が解決しようとする課題】
【０００５】
一般に、遊技球の発射勢を調節するために操作される発射操作装置では、回転限度である最大発射位置まで打球力調整ホイールを回転させた際に、過度とならない程度の十分な打球力が遊技球に付与される。
【０００６】
しかし、特許文献１の構造では、打球力の増大方向への操作子の回転限度が特に設定されていないため、例えば打球力調整ホイールを最大発射位置まで回転した状態で操作子を打球力の増大方向に回転させると、ボリュームが過度に回転し、遊技球に必要以上の過大な打球力が付与されてしまう。
【０００７】
このような不都合は、遊技球に必要以上の過大な打球力が付与されないようにボリュームの回転限度を設定することによって回避可能である。この場合、ボリュームが回転限度に達すると、打球力調整ホイールや操作子は、打球力の増大方向への回転力を受けても回転しない。
【０００８】
ところが、上述のようにボリュームの回転限度を設定すると、ボリュームが回転限度に達しているにも拘わらず、遊技者が打球力調整ホイールを強く回転操作したり、操作子を強く押圧操作した場合に、ボリュームに過度の荷重が加わり、破損や故障が生じてしまう可能性がある。
【０００９】
本発明は、上記実状に鑑みてなされたものであり、所定の操作によって遊技球を所望の発射勢で発射させている状態を基準として、他の所定の操作によって発射勢を増減させることができ、且つ破損や故障が発生し難い弾球遊技機の提供を目的とする。
【課題を解決するための手段】
【００１０】
上記目的を達成するため、本発明は、遊技球を発射する発射装置と、発射装置における遊技球の発射勢を変更する発射勢変更手段と、発射勢変更手段を操作するための発射操作装置とを備えた弾球遊技機であって、発射操作装置は、ベース体と主発射レバーと副発射レバーと第１ギヤ体と第２ギヤ体と調整ギヤ体と最大発射勢設定手段と相対回転制御機構とを備える。
【００１１】
ベース体は、弾球遊技機に固定される。主発射レバーは、主回転軸心を中心として回転自在にベース体に支持され、遊技者からの操作に応じて回転する。副発射レバーは、ベース体と主発射レバーとの間に配置され、主回転軸心と略平行な副回転軸心を中心として回転自在に主発射レバーに支持され、副回転軸心を中心とした円弧状の副発射歯車部を有し、主発射レバーの回転に伴って主回転軸心の周囲を公転するとともに、遊技者からの操作に応じて副回転軸心を中心として自転する。第１ギヤ体は、ベース体と主発射レバーとの間に配置され、主回転軸心を中心として発射勢増大方向及び発射勢減少方向へ回転自在にベース体又は主発射レバーに支持され、主回転軸心を中心とした円弧状であって副発射歯車部と噛合する操作歯車部を有する。第２ギヤ体は、ベース体と第１ギヤ体との間に配置され、主回転軸心を中心として発射勢増大方向及び発射勢減少方向へ回転自在にベース体又は主発射レバーに支持され、主回転軸心を中心とした円弧状の伝達歯車部を有する。調整ギヤ体は、ベース体と主発射レバーとの間に配置され、主回転軸心と略平行な調整回転軸心を中心として回転自在に前記ベース体に支持され、調整回転軸心を中心とした円弧状であって前記伝達歯車部と噛合する調整歯車部を有し、第２ギヤ体の回転を発射勢変更手段に伝達する。最大発射勢設定手段は、第２ギヤ体の発射勢増大方向への回転可能限度を最大発射勢位置に規制する。
【００１２】
相対回転制御機構は、第１ギヤ体と第２ギヤ体の間に設けられ、第１ギヤ体と第２ギヤ体とが所定の基本相対回転位置に設定された状態で、第１ギヤ体及び第２ギヤ体と係合してこれら両ギヤ体間の相対回転を規制し、基本相対回転位置から発射勢増大方向への第２ギヤ体の回転が規制された状態で第１ギヤ体に発射勢増大方向への回転力が付与された場合、第１ギヤ体又は第２ギヤ体との係合が解除されて第２ギヤ体に対する第１ギヤ体の発射勢増大方向への相対回転を許容し、且つ第１ギヤ体が第２ギヤ体に対して基本相対回転位置から発射勢増大方向へ相対回転した状態で第１ギヤ体に発射勢減少方向への回転力が付与された場合、第２ギヤ体に対する第１ギヤ体の発射勢減少方向への相対回転を許容して両ギヤ体を基本相対回転位置へ復帰させる。
【００１３】
なお、公転とは、自身の外側を通る回転軸を中心とした回転を意味し、自転とは、自身を通る回転軸を中心とした回転を意味する。
【００１４】
上記構成では、遊技球の発射が停止する初期状態において、主発射レバー、副発射レバー、第１ギヤ体、第２ギヤ体及び調整ギヤ体は、それぞれ発射勢減少方向の回転限度である原点位置に設定され、第１ギヤ体と第２ギヤ体とは、基本相対回転位置に設定される。
【００１５】
遊技を開始する遊技者は、初期状態の主発射レバーを発射勢増大方向へ回転操作する。主発射レバーが回転すると、副発射レバーは自転せずに主回転軸心の周囲を公転する。副発射レバーの副発射歯車部と第１ギヤ体の操作歯車部とが噛合しているので、主発射レバーの回転に連動して第１ギヤ体が発射勢増大方向へ回転する。第１ギヤ体が回転すると、相対回転制御機構が第１ギヤ体と第２ギヤ体とに係合して両ギヤ体間の相対回転を規制し、第２ギヤ体が第１ギヤ体と一体的に回転する。第２ギヤ体の伝達歯車部と調整ギヤ体の調整歯車部とが噛合しているので、第２ギヤ体の回転に連動して調整ギヤ体が発射勢増大方向へ回転し、発射勢変更手段によって遊技球の発射勢が変更される。すなわち、遊技者は、主発射レバーの原点位置からの回転量を適宜調節することによって、所望の発射勢で遊技球を発射することができる。
【００１６】
例えば遊技領域の右側領域への遊技球の発射が要求される遊技（右打ち遊技）への移行のように、遊技の途中で遊技球の発射勢を増大させる必要が生じた場合、遊技者は、主発射レバーの回転位置を維持したまま、副発射レバーを発射勢増大方向へ回転操作すればよい。副発射レバーの副発射歯車部と第１ギヤ体の操作歯車部とが噛合しているので、副発射レバーの回転に連動して第１ギヤ体が発射勢増大方向へ回転する。第１ギヤ体が回転すると、相対回転制御機構が第１ギヤ体と第２ギヤ体とに係合して両ギヤ体間の相対回転を規制し、第２ギヤ体が第１ギヤ体と一体的に回転する。第２ギヤ体の伝達歯車部と調整ギヤ体の調整歯車部とが噛合しているので、第２ギヤ体の回転に連動して調整ギヤ体が発射勢増大方向へ回転し、発射勢変更手段によって遊技球の発射勢が変更される。すなわち、遊技者は、主発射レバーを所望の回転位置に維持したまま、副発射レバーを操作することによって遊技球の発射勢を増大させることができる。
【００１７】
第２ギヤ体の発射勢増大方向への回転限度は、最大発射勢設定手段によって最大発射勢位置に規制される。すなわち、第２ギヤ体は最大発射勢位置を超えてさらに発射勢増大方向へ回転することがなく、発射勢変更手段に過度の荷重が加わることがない。
【００１８】
第２ギヤ体が最大発射勢位置に達した状態で、遊技者が主発射レバー又は副発射レバーを発射勢増大方向へ操作し、第１ギヤ体に発射勢増大方向への回転力が付与されると、相対回転制御機構は、第１ギヤ体又は第２ギヤ体との係合を解除して、第２ギヤ体に対する第１ギヤ体の発射勢増大方向への相対回転を許容し、第１ギヤ体が空転する。従って、第１ギヤ体や第２ギヤ体に入力する発射勢増大方向への過度な荷重を、第１ギヤ体と第２ギヤ体との相対回転によって緩和することができる。
【００１９】
第２ギヤ体に対して基本相対回転位置から発射勢増大方向へ相対回転した第１ギヤ体を基本相対回転位置へ戻す場合、遊技者は、主発射レバー又は副発射レバーを発射勢減少方向へ操作して、第１ギヤ体に発射勢減少方向への回転力を付与すればよい。第１ギヤ体に発射勢減少方向への回転力が付与されると、相対回転制御機構は、第２ギヤ体に対する第１ギヤ体の発射勢減少方向への相対回転を許容して両ギヤ体を基本相対回転位置へ復帰させる。
【００２０】
また、前記相対回転制御機構は、伝達ガイドと伝達ガイド付勢手段と係止突起と係合凹部と傾斜ガイド面とを有してもよい。
【００２１】
伝達ガイドは、第１ギヤ体及び第２ギヤ体のうち一方のギヤ体に、主回転軸心に沿ってスライド移動自在で且つ一方のギヤ体に対する相対回転が規制された状態で支持される。伝達ガイド付勢手段は、第１ギヤ体及び第２ギヤ体のうち他方のギヤ体に向かって伝達ガイドを付勢する。係合凹部及び傾斜ガイド面は、伝達ガイド及び他方のギヤ体のうち一方の部材に設けられる。係止突起は、伝達ガイド及び他方のギヤ体のうち他方の部材に設けられ、両ギヤ体が基本相対回転位置に設定された状態で、伝達ガイド付勢手段の付勢力によって係合凹部と係合する。係止突起と係合凹部との係合は、両ギヤ体の相対回転を規制する。傾斜ガイド面は、主回転軸心を中心とした円弧状で且つ他方の部材に向かって傾斜するように、係合凹部から発射勢増大方向へ延びる。基本相対回転位置から発射勢増大方向への第２ギヤ体の回転が規制された状態で第１ギヤ体に発射勢増大方向への回転力が付与された場合、係止突起が伝達ガイド付勢手段の付勢力に抗して係合凹部から傾斜ガイド面に乗り上がり、第２ギヤ体に対する第１ギヤ体の発射勢増大方向への相対回転が許容される。第１ギヤ体が第２ギヤ体に対して基本相対回転位置から発射勢増大方向へ相対回転した状態で第１ギヤ体に発射勢減少方向への回転力が付与された場合、傾斜ガイド面上の係止突起は、伝達ガイド付勢手段の付勢力と傾斜ガイド面の傾斜とによって係合凹部へ向かってスライド移動する。
【００２２】
上記構成では、第１ギヤ体と第２ギヤ体とが基本相対回転位置に設定された状態において、伝達ガイド及び他方のギヤ体のうち他方の部材に設けられた係止突起は、伝達ガイド付勢手段の付勢力によって、伝達ガイド及び他方のギヤ体のうち一方の部材に設けられた係合凹部と係合する。
【００２３】
第２ギヤ体が最大発射勢位置に達した状態で、遊技者が主発射レバー又は副発射レバーを発射勢増大方向へ操作し、第１ギヤ体に発射勢増大方向への回転力が付与されると、係止突起が伝達ガイド付勢手段の付勢力に抗して係合凹部から傾斜ガイド面に乗り上がり、第２ギヤ体に対する第１ギヤ体の発射勢増大方向への相対回転が許容され、第１ギヤ体が空転する。
【００２４】
第２ギヤ体に対して基本相対回転位置から発射勢増大方向へ相対回転した第１ギヤ体を基本相対回転位置へ戻すために、遊技者が主発射レバー又は副発射レバーを発射勢減少方向へ操作して、第１ギヤ体に発射勢減少方向への回転力を付与すると、傾斜ガイド面上の係止突起は、伝達ガイド付勢手段の付勢力と傾斜ガイド面の傾斜とによって係合凹部へ向かってスライド移動し、両ギヤ体が基本相対回転位置へ復帰する。
【００２５】
また、発射操作装置は、第２ギヤ体の発射勢減少方向への回転限度を、遊技球の発射が停止する原点位置に規制する最小発射勢設定手段をさらに備えてもよい。
【００２６】
上記構成では、第２ギヤ体の発射勢減少方向への回転限度は、最小発射勢設定手段によって原点位置に規制される。従って、第２ギヤ体に対して基本相対回転位置から発射勢増大方向へ相対回転した第１ギヤ体を基本相対回転位置へ戻す際に、遊技者が主発射レバー又は副発射レバーを発射勢減少方向へ操作しただけでは両ギヤ体が基本相対回転位置に復帰しない場合であっても、第２ギヤ体を原点位置まで戻した後に第１ギヤ体に発射勢減少方向への回転力を付与することによって、両ギヤ体を確実に基本相対回転位置へ復帰させることができる。
【発明の効果】
【００２７】
本発明によれば、所定の操作によって遊技球を所望の発射勢で発射させている状態を基準として、他の所定の操作によって発射勢を増減させることが可能で、且つ破損や故障が発生し難い弾球遊技機を提供することができる。
【図面の簡単な説明】
【００２８】
【図１】本発明の一実施形態の発射操作装置を示す図であり、（a）は正面図、（ｂ）は平面図、（ｃ）は側面図である。
【図２】図１（ａ）のＡ−Ａ矢視断面図である。
【図３】図１（ａ）のＢ−Ｂ矢視断面図である。
【図４】図１の発射操作装置の分解斜視図である。
【図５】図４の相対回転制御機構を拡大して示す分解斜視図である。
【図６】図５の組付状態を示す斜視図である。
【図７】図４の第１ギヤ体の斜視図であり、（ａ）は斜め後方から視た状態を、（ｂ）は斜め前方から視た状態をそれぞれ示す。
【図８】図４の伝達ガイドの斜視図であり、（ａ）は斜め後方から視た状態を、（ｂ）は斜め前方から視た状態をそれぞれ示す。
【図９】図４の第２ギヤ体の斜視図であり、（ａ）は斜め後方から視た状態を、（ｂ）は斜め前方から視た状態をそれぞれ示す。
【図１０】基本相対回転位置での相対回転制御機構を傾斜ガイド面の円弧形状に沿った切断面で示す要部断面図である。
【図１１】第１ギヤ体が第２ギヤ体に対して基本相対回転位置から発射勢増大方向へ相対回転した状態での相対回転制御機構を傾斜ガイド面の円弧形状に沿った切断面で示す要部断面図である。
【発明を実施するための形態】
【００２９】
本発明の一実施形態を図面を参照して説明する。なお、以下では、遊技者側を前方とし、弾球遊技機側を後方とし、前方から視た左右を左右方向として説明する。また、主発射レバー、第１ギヤ体及び第２ギヤ体の発射勢増大方向は、前方から視て右回り（時計回り）であり、副発射レバー及びボリューム歯車部材の発射勢増大方向は左回り（反時計回り）である。
【００３０】
図１から図４に示すように、本実施形態の弾球遊技機（パチンコ機）は、遊技機本体（図示省略）に内蔵されて遊技盤の遊技領域（図示省略）に遊技球を発射する発射装置（図示省略）と、発射装置のモータ等の駆動源に通電される電流値を増減して発射装置における遊技球の発射勢を変更するボリューム（可変抵抗器：発射勢変更手段）１と、ボリューム１を操作するための発射操作装置１００とを備える。遊技者は、発射操作装置１００を操作することによって、遊技球の発射の開始及び停止や発射勢の調節を行う。
［発射操作装置の概略構造］
発射操作装置１００は、遊技機本体に固定されるベース体２と、ベース体２の前側に取り付けられるカバー３と、ベース体２とカバー３のとの間に配置される主発射レバー（ハンドルリング）４とを備えている。
【００３１】
ベース体２は、遊技機本体に固定される円筒状の基部２１と、基部２１から前方に向かってテーパ状に拡径する収容部２２と、基部２１と収容部２２との境界近傍で前後方向と略直交するベース板部２０とを一体的に備える。ベース板部２０には、収容部２２の略中央で前方へ延びる中央回転軸８０が一体的に設けられている。後述するように、中央回転軸８０とカバー３のカバー側軸受部２５とは、主発射レバー４の主回転軸３２を、主回転軸心（中央回転軸８０の軸心）８１を中心として回転自在に支持する。カバー３は、後方に向って拡径されるドーム状に形成され、ベース体２の収容部２２の前方を覆う。
【００３２】
カバー３の内側領域には、主発射レバー４を原点位置側（発射勢減少方向）に付勢する主バネ５と、主バネ５の内側に配置されるバネ保持部材６と、主発射レバー４に対する遊技者の手の接触を検知するタッチセンサ７とが設けられている。
【００３３】
主発射レバー４とベース体２とによって区画される内側領域には、副発射歯車部８を有する副発射レバー９と、副発射レバー９を原点位置側（発射勢減少方向）に付勢する副バネ１０と、副発射歯車部８と噛み合う操作歯車部１１を有する第１ギヤ体（一方のギヤ体）７１と、相対回転制御機構７０（図５参照）と、第１ギヤ体７１の回転を相対回転制御機構７０を介してボリューム１側に伝達する伝達歯車部１５を有する第２ギヤ体（他方のギヤ体、一方の部材）７２と、ベース体２の基部２１に固定されたロータリ式のボリューム１の回転軸部材１８に嵌合されて回転軸部材１８と一体に回転するボリュームギヤ体（調整ギヤ体）１９と、遊技球の発射を停止する発射停止スイッチ１３及び発射停止ボタン１４とが設けられている。
【００３４】
ベース体２の収容部２２には、基部２１側から前方に延出する複数の円筒状のボス２３が設けられ、カバー３の後面（ドーム状の部分の裏面）のうちボス２３に対応する部分には、後方に突出する嵌合軸部２４が形成されている。嵌合軸部２４の後端部が円筒状のボス２３の前端部の内部に挿入されて嵌合することによって、ベース体２の前側にカバー３が固定される。カバー３の後面の略中央には、後方に延出する円筒状のカバー側軸受部２５が形成されている。
【００３５】
主発射レバー４は、軸方向長さが短い概略円筒状の円筒部２７と、円筒部２７の内部に設けられた概略円板状の底板２８とを一体的に有し、円筒部２７の外周部分には、遊技者が指をかけて握って操作するための被操作部２９が設けられている。
【００３６】
主発射レバー４の底板２８には、２箇所の長孔３１が形成されている。カバー３がベース体２に固定された状態で、各長孔３１には、嵌合したボス２３と嵌合軸部２４とが貫通する。長孔３１は、主発射レバー４の回転中心（カバー側軸受部２５と後述の主回転軸３２の中心線）である主回転軸心８１を中心とした円弧状に形成されている。主発射レバー４の回転可能範囲は、長孔３１の長さ（円弧方向の両端縁）によって、遊技球の発射が停止する原点位置から遊技球の発射勢が最大となる最大発射勢位置までの範囲に規制される。すなわち、主発射レバー４の長孔３１とボス２３とは、主発射レバー４の回転範囲を規制するストッパとして機能する。被操作部２９は、主発射レバー４を把持して操作する遊技者の右手の親指と人差し指との間に位置するように、主発射レバー４が原点位置に設定された状態で、前方から視て略三角形状に主回転軸心８１と交叉する方向（円筒部２７の外周から主回転軸心８１の左斜め上方）へ突出する。
【００３７】
主発射レバー４が発射勢減少方向に回転して原点位置の近傍まで戻ると、遊技球の発射が停止する。また、遊技者は、主発射レバー４を最大発射勢位置まで回転させなくても、副発射レバー９を操作することによって、遊技球の発射勢を最大とすることができる。
【００３８】
主発射レバー４の底板２８の前面の中央部には、前方に向って延出する円筒状の主回転軸３２が一体的に形成されている。主回転軸３２の前端部がカバー側軸受部２５内に回転自在に挿入され、主回転軸３２内にベース体２の中央回転軸８０の前端部が回転自在に挿入されることによって、主発射レバー４がベース体２及びカバー３に対して回転自在に保持される。
【００３９】
バネ保持部材６は、カバー側軸受部２５の後方で主回転軸３２の周囲に配置されている。バネ保持部材６は、後端側にフランジを備える円筒状であり、バネ保持部材６の内側を主回転軸３２が貫通する。バネ保持部材６は、ねじりコイルバネである主バネ５の内側に挿入され、フランジによって主バネ５の後方への移動を規制する。
【００４０】
主バネ５は、その一端側がカバー３に係止され、他端側が主発射レバー４に係止されることによって、原点位置から最大発射勢位置に操作される主発射レバー４を原点位置側（発射勢減少方向）に付勢し、遊技者が主発射レバー４から手を離すと、主バネ５の付勢力によって主発射レバー４が原点位置側に戻る。
【００４１】
副発射レバー９は、主発射レバー４の底板２８の外縁側後面の後方に配置されている。副発射レバー９には、副発射歯車部８と被副操作部３４と軸受孔３５とが設けられている。軸受孔３５に、主発射レバー４の底板２８に形成された副回転軸３６が挿入されることによって、副発射レバー９が主発射レバー４に回動自在に支持される。
【００４２】
副発射レバー９の回転中心（副回転軸心）８２と主発射レバー４の回転中心（主回転軸心）８１とは略平行に設定され、副発射レバー９は主回転軸心８１の外側に配置されている。これにより、副発射レバー９は、主発射レバー４の回転に伴って主回転軸心８１の周囲を公転するとともに、遊技者からの操作に応じて副回転軸心８２を中心として自転する。
【００４３】
被副操作部３４は、原点位置において、主発射レバー４の円筒部２７の切欠部（図示省略）から外方に突出する。原点位置の被副操作部３４を主発射レバー４の円筒部２７の内側に向けて押下することにより、副発射レバー９は原点位置から最大発射勢位置まで回転する。
【００４４】
副発射レバー９の軸受孔３５の周囲は、前方に突出する円筒状に形成されており、この円筒部分の周囲にねじりコイルバネである副バネ１０が配置される。副バネ１０は、その一端側が主発射レバー４に係止され、他端側が副発射レバー９に係止されることによって、副発射レバー９を原点位置側（発射勢減少方向）に付勢し、遊技者が副発射レバー９の押下を解除すると、副バネ１０の付勢力によって副発射レバー９が原点位置側に戻る。副発射レバー９が原点位置に戻ると、副発射レバー９の副発射歯車部８の基部が１つのボス２３に当接して、発射勢減少方向への副発射レバー９の回転が規制される。すなわち、この１つのボス２３が、副発射レバー９の原点位置側のストッパとして機能する。
【００４５】
副発射レバー９の最大発射勢位置側（発射勢増大方向）には、特にストッパは設けられておらず、遊技者が通常の押下操作によって被副操作部３４を指で円筒部２７に押し込んだ状態が副発射レバー９の最大発射勢位置となる。副発射レバー９の被副操作部３４を最大発射勢位置から無理に円筒部２７の内部側に押し込むと、被副操作部３４が上記１つのボス２３に当接し、被副操作部３４をそれ以上押し込めることができず、このボス２３との当接位置が副発射レバー９の発射勢増大方向の回転限度となる。なお、ボス２３に当接する前に副発射レバー９の発射勢増大方向への回転限度を規制するストッパを設けてもよい。
【００４６】
副発射歯車部８は、副回転軸心８２を中心とした円弧状であり、副発射レバー９の回転可能範囲に対応した略扇状のセクタ歯車の歯部として形成されている。後述するように、副発射歯車部８は第１ギヤ体７１の操作歯車部１１と噛み合う。
【００４７】
副発射レバー９の被副操作部３４が突出する切欠部は、主発射レバー４の円筒部２７のうち被操作部２９の発射勢減少方向側の側面に形成されている。このような配置によって、遊技者は、右手の親指を被操作部２９の発射勢減少方向に置いて主発射レバー４を回転させたまま、その親指によって被副操作部３４を容易に押すことができる。
【００４８】
ベース体２の収容部２２の前端左側の外周縁には、発射停止ボタン１４が挿通する切欠部２６が形成されている。発射停止ボタン１４の一端部は、切欠部２６の右上方でベース体２の収容部２２から突出するボタン軸部３７に回転自在に支持され、発射停止ボタン１４の他端部は、切欠部２６から外部へ突出する。発射停止ボタン１４とベース体２との間には、発射ボタン１４を左回転方向（他端部が突出する方向）へ付勢する付勢手段（図示省略）が設けられている。発射停止ボタン１４が付勢手段の付勢力に抗して発射許可位置から発射停止位置へ押下されると、収容部２２に設けられた発射停止スイッチ１３が発射許可から発射禁止に切り替わり、発射停止スイッチ１３から発射装置の発射制御部へ発射停止信号が出力される。発射停止ボタン１４が発射停止位置に維持されている間、発射停止スイッチ１３は継続的に発射停止信号を出力し、発射停止信号を受信した発射装置は遊技球の発射を停止する。
【００４９】
ボリュームギヤ体１９は、ボリューム１の回転軸部材１８が挿入される貫通孔６１と、ボリューム歯車部５２と、ボリュームギヤ体１９の回転範囲を規制するためのボリューム被規制部６２とを備える。ボリュームギヤ体１９は、主回転軸心８１と略平行な調整回転軸心８３を中心として回転自在にベース体２に支持される。ボリューム歯車部５２は、調整回転軸心８３を中心とした円弧状であり、ボリュームギヤ体１９の回転範囲に対応するセクタ歯車の歯部として形成され、後述するように第２ギヤ体７２の伝達歯車部１５に噛み合って第２ギヤ体７２の回転が伝動される。
【００５０】
ボリューム被規制部６２は、ボリュームギヤ体１９の回転中心から半径方向に沿って、ボリュームギヤ体１９の本体から外側に延出する。ボリュームギヤ体１９が収容部２２の底部の２箇所に形成されたボリューム規制部材６３に当接することによって、ボリュームギヤ体１９の回転が規制される。ボリューム規制部材６３が規制する回転範囲は、伝達歯車部１５が規制する回転範囲よりも僅かに広く設定され、通常の使用状態では、ボリューム被規制部６２はボリューム規制部材６３に当接しない。なお、ボリューム被規制部６２及びボリューム規制部材６３は、発射操作装置１００の組立時において、ボリュームギヤ体１９を伝達歯車部１５に噛み合わせる際のボリュームギヤ体１９の回転角度を決めるために用いられる。
［第１ギヤ体、第２ギヤ体及び相対回転制御機構］
図５〜図１１に示すように、第１ギヤ体７１は、後側の細径の内径部（後側内径部）７１ａと前側の太径の内径部（前側内径部）７１ｂとを有する略円筒形状に形成されている。第２ギヤ体７２は、第１ギヤ体７１とほぼ同じ外径を有し、且つ第１ギヤ体７１の後側内径部７１ａとほぼ同径の内径部７２ｂを有する略円筒形状に形成されている。第１ギヤ体７１の後方に第２ギヤ体７１が並んで配置された状態で、第１ギヤ体７１の後側内径部分７１ａと第２ギヤ体７２の内径部７２ａとをベース体２の中央回転軸８０が挿通する。これにより、両ギヤ体７１，７２は、主回転軸心８１を中心として発射勢増大方向及び発射勢減少方向へ回転自在にベース体２及び主発射レバー４に支持される。両ギヤ体７１，７２の前後方向の移動は、ベース体２のベース板部２０の前面と主操作レバー４の主回転軸３２の後面とによって規制される。なお、両ギヤ体７１，７１の一方又は双方を、ベース体２のみによって支持してもよく、主発射レバー４のみによって支持してもよい。
【００５１】
第１ギヤ体７１の外周には、主回転軸心８１を中心とした円弧状の操作歯車部１１が設けられ、操作歯車部１１は、副操作レバー９の副発射歯車部８と噛合する。第２ギヤ体７２の外周には、主回転軸心８１を中心とした円弧状の伝達歯車部１５が設けられ、伝達歯車部１５は、ボリュームギヤ体１９の調整歯車部５２と噛合する。第１ギヤ体７１の前部には、第１ギヤ体７１の前端から後方へ延びる４箇所の切り欠き状のスライド溝７８が形成されている。
【００５２】
ベース体２のベース板部２０にはベース側上限ストッパ（最大発射勢設定手段）９１が前方に突設され、第２ギヤ体７２の外周には、ギヤ側ストッパ（最大発射勢設定手段）９２が突設されている。ギヤ側ストッパ９２がベース側上限ストッパ９１に当接することによって、第２ギヤ体７２の発射勢増大方向への回転可能限度が最大発射勢位置に規制される。すなわち、ベース側上限ストッパ９１とギヤ側ストッパ９２とは、第２ギヤ体７２の発射勢増大方向への回転可能限度を最大発射勢位置に規制する最大発射勢設定手段として機能する。
【００５３】
第１ギヤ体７１と第２ギヤ体７２の間には相対回転制御機構９０が設けられている。相対回転制御機構９０は、伝達ガイド（他方の部材）７３と、コイルバネ（伝達ガイド付勢手段）７４と、係止突起７５と、係合凹部７６と、傾斜ガイド面７７とを有し、両ギヤ体７１，７２間の相対回転を規制する状態と許容する状態とに切り替わる。
【００５４】
コイルバネ７４は、その内径部分を中央回転軸８０が挿通した状態で、第１ギヤ体７１の後側内径部７１ｂに収容される。
【００５５】
伝達ガイド７３は、ガイド板部８４と４箇所のスライド係合部８５と、２箇所の係止突起７５とを一体的に有する。ガイド板部８４は、第１ギヤ体７１の前側内径部７１ｂよりも僅かに小さい外径を有し、且つ第１ギヤ体７１の後側内径部７１ａとほぼ同径の内径部７３ｂを有する薄肉の円筒状に形成されている。
【００５６】
４箇所のスライド係合部８４は、第１ギヤ体７１の４箇所のスライド溝７８に対応して配置され、スライド溝７８よりも僅かに小さい周方向の幅を有し、ガイド板部８４の外周から径方向の外側へ突出する。第１ギヤ体７１の後側内径部７１ａに中央回転軸８０を挿通した状態で、ガイド板部８４の内径部７３ａに中央回転軸８０を挿通し、第１ギヤ体７１のスライド溝部７８にスライド係合部８４を挿入すると、スライド係合部８４がスライド溝部７８と係合し、ガイド板部８４が第１ギヤ体７１の前側内径部７１ｂに収容され支持される。スライド係合部８４がスライド溝部７８との係合は、第１ギヤ体７１と伝達ガイド７３との相対回転を規制した状態で、伝達ガイド７３の前後方向（主回転軸心８１に沿った方向）のスライド移動を許容する。なお、両ギヤ体７１，７２の前後方向の位置は、伝達ガイド７３のスライド移動によって変更されず、所定位置に維持される。
【００５７】
２箇所の係止突起７５は、内径部７３ａを挟んで対峙するように配置され、伝達ガイド７３の前面から前方へ突出する。係止突起７５の前端部は、前方に向かって先細りする円錐状又は半球状に形成されている。
【００５８】
伝達ガイド７３は、コイルバネ７４が第１ギヤ体７１の後側内径部７１ｂに収容された状態で後側内径部７１ｂに前方から挿入され、第２ギヤ体７２の内径部７２ａには、コイルバネ７４及び伝達ガイド７３が後側内径部７１に挿入された状態で、中央回転軸８０が挿通される。コイルバネ７４の前端は伝達ガイド７３のガイド板部８４の後面に当接し、コイルバネ７４は伝達ガイド７３を前方（第２ギヤ体７２側）へ付勢する。
【００５９】
第２ギヤ体７２の後面には、係合凹部７６と傾斜ガイド面７７とが、伝達ガイド７３の係止突起７５に対応してそれぞれ２箇所ずつ形成されている。伝達ガイド７３の各係止突起７５は、両ギヤ体７１，７２が所定の基本相対回転位置に設定された状態で、コイルバネ７４の付勢力によって、それぞれ対応する係合凹部７６と係合する（図１０参照）。係止突起７５と係合凹部７６との係合は、両ギヤ体７１，７２の相対回転を規制する。
【００６０】
両ギヤ体７１，７２が基本相対回転位置に設定された状態において、副発射レバー９が原点位置に維持されたまま押下操作されずに、主発射レバー４のみが原点位置から発射勢増大方向へ回転操作されると、副発射レバー９は自転せずに主回転軸心８１の周囲を公転し、副発射レバー９の副発射歯車部８と第１ギヤ体７１の操作歯車部１１との噛合によって、主発射レバー４の回転に連動して第１ギヤ体７１及び第２ギヤ体７２が発射勢増大方向へ回転し、第２ギヤ体７２の伝達歯車部１５とボリュームギヤ体１９の調整歯車部５２との噛合によって、第２ギヤ体７２の回転に連動してボリュームギヤ体１９が発射勢増大方向へ回転し、ボリューム１によって遊技球の発射勢が増大される。また、主発射レバー４が原点位置に維持されたまま回転操作されずに、副発射レバー９のみが原点位置から発射勢増大方向へ回転操作（押下操作）されると、副発射レバー９が副回転軸心８２を中心として自転し、副発射レバー９の副発射歯車部８と第１ギヤ体７１の操作歯車部１１との噛合によって、副発射レバー９の回転に連動して第１ギヤ体７１及び第２ギヤ体７２が発射勢増大方向へ回転し、第２ギヤ体７２の伝達歯車部１５とボリュームギヤ体１９の調整歯車部５２との噛合によって、第２ギヤ体７２の回転に連動してボリュームギヤ体１９が発射勢増大方向へ回転し、ボリューム１によって遊技球の発射勢が増大される。
【００６１】
傾斜ガイド面７７は、主回転軸心８１を中心とした円弧状で且つ前方（伝達ガイド７３側）に向かって傾斜するように、係合凹部７６から発射勢増大方向へ延びる。傾斜ガイド面７７のうち係合凹部７６との隣接部分には、前方及び後方へ殆ど傾斜しない平坦部７７ａと、平坦部７７ａと係合凹部７６との間で係合凹部７６から急峻に傾斜して係合凹部７６との段差を緩和する立ち上がり部７７ｂとが設けられている。
【００６２】
基本相対回転位置から発射勢増大方向への第２ギヤ体７２の回転が規制された状態で第１ギヤ体７１に発射勢増大方向への回転力が付与されると、傾斜ガイド面７７の立ち上がり部７７ｂと係止突起７５の前端部の形状とによって係止突起７５が前方に案内され、コイルバネ７４の付勢力に抗して伝達ガイド７３が前方へ移動して係止突起７５が係合凹部７６から傾斜ガイド面７７に乗り上がり、係止突起７５と係合凹部７６との係合が解除され、第２ギヤ体７２に対する第１ギヤ体７１の発射勢増大方向への相対回転が許容され、第１ギヤ体７１が空転する（図１１参照）。平坦部７７ａは、立ち上がり部７７ｂに乗り上がった係止突起７５の挙動を安定させる。
【００６３】
第２ギヤ体７２に対して第１ギヤ体７１が基本相対回転位置から発射勢増大方向へ相対回転した状態で第１ギヤ体７１に発射勢減少方向への回転力が付与されると、傾斜ガイド面７７上の係止突起７５は、コイルバネ７４の付勢力と傾斜ガイド面７７の傾斜とによって係合凹部７６へ向かってスライド移動し、第２ギヤ体７２に対して第１ギヤ体７１が発射勢減少方向へ相対回転して、両ギヤ体７１，７２が基本相対回転位置に復帰する。
【００６４】
このように、相対回転制御機構９０は、第１ギヤ体７１と第２ギヤ体７２とが基本相対回転位置に設定された状態で、両ギヤ体７１，７２と係合して両ギヤ体７１，７２間の相対回転を規制し、基本相対回転位置から発射勢増大方向への第２ギヤ体７２の回転が規制された状態で第１ギヤ体７１に発射勢増大方向への回転力が付与されると、第２ギヤ体７２との係合が解除されて第２ギヤ体７２に対する第１ギヤ体７１の発射勢増大方向への相対回転を許容し、且つ第１ギヤ体７１が第２ギヤ体７２に対して基本相対回転位置から発射勢増大方向へ相対回転した状態で第１ギヤ体７１に発射勢減少方向への回転力が付与されると、第２ギヤ体７２に対する第１ギヤ体７１の発射勢減少方向への相対回転を許容して両ギヤ体７１，７２を基本相対回転位置へ復帰させる。
【００６５】
また、副発射レバー９が原点位置に維持されたまま主発射レバー４のみが発射勢増大方向に最大に回転した場合、主発射レバー４が原点位置に維持されたまま副発射レバー９のみが発射勢増大方向に最大に回転した場合、及び主発射レバー４と副発射レバー９とがともに発射勢増大方向に最大に回転した場合の何れにおいても、ギヤ側ストッパ９２がベース側上限ストッパ９１に当接し、ボリューム１の回転軸部材１８は、所定の最大発射勢位置（例えば原点位置から１２５°）まで回転してそれ以上は回転しない。
［遊技球の発射操作］
遊技球の発射が停止する初期状態において、主発射レバー４、副発射レバー９、第１ギヤ体７１、第２ギヤ体７２及びボリュームギヤ体１９は、それぞれ発射勢減少方向の回転限度である原点位置に設定され、第１ギヤ体７１と第２ギヤ体７２とは、基本相対回転位置に設定される。
【００６６】
遊技を開始する遊技者は、副発射レバー９を操作せず、主発射レバー４を原点位置から発射勢増大方向へ回転操作する。主発射レバー４が回転すると、副発射レバー９は自転せずに主回転軸心８１の周囲を公転する。副発射レバー９の副発射歯車部８と第１ギヤ体７１の操作歯車部１１とが噛合しているので、主発射レバー４の回転に連動して第１ギヤ体７１が発射勢増大方向へ回転する。第１ギヤ体７１と第２ギヤ体７２とは基本相対回転位置に設定され、伝達ガイド７３の係止突起７５がコイルバネ７４の付勢力によって第２ギヤ体７２の係合凹部７６と係合しているので、両ギヤ体７１，７２間の相対回転が規制され、第１ギヤ体７１が回転すると、第２ギヤ体７２が第１ギヤ体７１と一体的に回転する。第２ギヤ体７２の伝達歯車部１５とボリュームギヤ体１９の調整歯車部５２とが噛合しているので、第２ギヤ体７２の回転に連動してボリュームギヤ体１９が発射勢増大方向へ回転し、ボリューム１によって遊技球の発射勢が変更（増大）される。すなわち、遊技者は、主発射レバー４の原点位置からの回転量を適宜調節することによって、所望の発射勢で遊技球を発射することができる。
【００６７】
例えば遊技領域の右側領域への遊技球の発射が要求される遊技（右打ち遊技）への移行のように、遊技の途中で遊技球の発射勢を増大させる必要が生じた場合、遊技者は、主発射レバー４の回転位置を維持したまま、副発射レバー９の被副操作部３４を押下操作し、副発射レバー９を発射勢増大方向へ回転させる。副発射レバー９の副発射歯車部８と第１ギヤ体７１の操作歯車部１１とが噛合しているので、副発射レバー９の回転（自転）に連動して第１ギヤ体７１が発射勢増大方向へ回転する。第１ギヤ体７１と第２ギヤ体７２とは基本相対回転位置に設定されているので、両ギヤ体７１，７２間の相対回転が規制され、第１ギヤ体７１が回転すると、第２ギヤ体７２が第１ギヤ体７１と一体的に回転し、第２ギヤ体７２の回転に連動してボリュームギヤ体１９が発射勢増大方向へ回転し、ボリューム１によって遊技球の発射勢が変更（増大）される。すなわち、遊技者は、主発射レバー４を所望の回転位置に維持したまま、副発射レバー９を押下操作することによって遊技球の発射勢を増大させることができる。また、発射勢の増大（右打ち遊技）を終了して、元の発射勢に戻す場合、遊技者は、副発射レバー９の押下操作を解除する。副発射レバー９の押下解除によって、副発射レバー９が発射勢減少方向へ回転（自転）し、第１ギヤ体７１と第２ギヤ体７２とが一体的に回転し、第２ギヤ体７２の回転に連動してボリュームギヤ体１９が発射勢減少方向へ回転し、ボリューム１によって遊技球の発射勢が変更（減少）される。
【００６８】
第２ギヤ体７２の発射勢増大方向への回転限度は、ギヤ側ストッパ９２がベース側上限ストッパ９１に当接することによって最大発射勢位置に規制される。すなわち、第２ギヤ体７２は最大発射勢位置を超えてさらに発射勢増大方向へ回転することがなく、ボリューム１に過度の荷重が加わることがない。
【００６９】
第２ギヤ体７２が最大発射勢位置に達した状態で、主発射レバー４又は副発射レバー９の少なくとも一方が発射勢増大方向の回転限度に達しておらず、遊技者が主発射レバー４又は副発射レバー９を発射勢増大方向へ操作し、第１ギヤ体１１に発射勢増大方向への回転力が付与されると、伝達ガイド７３の係止突起７５がコイルバネ７４の付勢力に抗して第２ギヤ体７２の係合凹部７６から傾斜ガイド面７７に乗り上がり、係止突起７５と係合凹部７６との係合が解除され、第２ギヤ体７２に対する第１ギヤ体７１の発射勢増大方向への相対回転が許容される。従って、第１ギヤ体７１や第２ギヤ体７２に入力する発射勢増大方向への過度な荷重を、第１ギヤ体７１と第２ギヤ体７２との相対回転によって緩和することができる。
【００７０】
第２ギヤ体７２に対して基本相対回転位置から発射勢増大方向へ相対回転した第１ギヤ体７１を基本相対回転位置へ戻す場合、遊技者は、主発射レバー４又は副発射レバー９を発射勢減少方向へ操作して、第１ギヤ体７１に発射勢減少方向への回転力を付与する。第１ギヤ体７１に発射勢減少方向への回転力が付与されると、傾斜ガイド面７７上の係止突起７５は、コイルバネ７４の付勢力と傾斜ガイド面７７の傾斜とによって係合凹部７６へ向かってスライド移動して係合凹部７６と係合し、両ギヤ体７１，７２が基本相対回転位置へ復帰する。
【００７１】
このように、本実施形態によれば、主発射レバー４の回転操作によって遊技球を所望の発射勢で発射させている状態を基準として、副発射レバー９の押下操作によって発射勢を増減させることができる。また、第１ギヤ体７１に過剰な回転力が入力した際には、第２ギヤ体７２の回転限度がギヤ側ストッパ９２とベース側上限ストッパ９１とによって規制され、且つ第２ギヤ体７２に対する第１ギヤ体７１の相対回転が制御機構９０によって許容されるので、部品の破損や故障の発生を防止することができる。
［変形例］
ベース体２のベース板部２０には、ベース側上限ストッパ９１に加えて、ベース側下限ストッパ９３（図５及び図６に二点鎖線で示す）が前方に突設されている。ギヤ側ストッパ９２がベース側下限ストッパ９３に当接することによって、第２ギヤ体７２の発射勢減少方向への回転可能限度が原点位置に規制される。すなわち、ベース側下限ストッパ９３とギヤ側ストッパ９２とは、第２ギヤ体７２の発射勢減少方向への回転可能限度を原点位置に規制する最小発射勢設定手段として機能する。
【００７２】
このように、第２ギヤ体７２の発射勢減少方向への回転限度を原点位置に規制するベース側下限ストッパ９３を設けているので、第２ギヤ体７２に対して基本相対回転位置から発射勢増大方向へ相対回転した第１ギヤ体７１を基本相対回転位置へ戻す際に、遊技者が主発射レバー４又は副発射レバー９を発射勢減少方向へ操作しただけでは両ギヤ体７１，７２が基本相対回転位置に復帰しない場合であっても、第２ギヤ体７２を原点位置まで戻した後に第１ギヤ体７１に発射勢減少方向への回転力を付与することによって、第１ギヤ体７１が第２ギヤ体７２に対して発射勢減少方向へ相対回転する。従って、両ギヤ体７１，７１を確実に基本相対回転位置へ復帰させることができる。
【００７３】
なお、ベース側下限ストッパ９３を設けた場合、傾斜ガイド面７７に代えて、前方及び後方へ殆ど傾斜しない平坦なガイド面を設けてもよい。
【００７４】
以上、本発明者によってなされた発明を適用した実施形態について説明したが、この実施形態による本発明の開示の一部をなす論述及び図面により本発明は限定されることはない。例えば、上記実施形態では、伝達ガイド７３を第１ギヤ体７１にスライド係合し、伝達ガイド７３を第２ギヤ体７２側に付勢し、伝達ガイド７３に係止突起７５を設け、下ギヤ７２に係合凹部７６を設けたが、伝達ガイドを第１ギヤ体にスライド係合し、伝達ガイドを第２ギヤ体に付勢し、伝達ガイドに係合凹部を設け、第２ギヤ体に係止突起を設けてもよく、伝達ガイドを第２ギヤ体にスライド係合し、伝達ガイドを第１ギヤ体側に付勢し、伝達ガイドに係止突起を設け、第２ギヤ体に係合凹部を設けてもよく、また、伝達ガイドを第２ギヤ体にスライド係合し、伝達ガイドを第１ギヤ体側に付勢し、伝達ガイドに係合凹部を設け、第２ギヤ体に係止突起を設けてもよい。すなわち、この実施形態に基づいて当業者等によりなされる他の実施形態、実施例及び運用技術等は全て本発明の範疇に含まれることは勿論であることを付け加えておく。
【符号の説明】
【００７５】
１      ボリューム（発射勢変更手段）
２      ベース体
４      主発射レバー
８      副発射歯車部
９      副発射レバー
１１    操作歯車部
１５    伝達歯車部
１９    ボリュームギヤ体（調整ギヤ体）
５２    調整歯車部
７１    第１ギヤ体
７２    第２ギヤ体
７３    伝達ガイド
７４    コイルバネ（伝達ガイド付勢手段、）
７５    係止突起
７６    係合凹部
７７    傾斜ガイド面
８１    主回転軸心
８２    副回転軸心
８３    調整回転軸心
９０    相対回転制御機構
９１    ベース側上限ストッパ（最大発射勢設定手段）
９２    ギヤ側ストッパ（最大発射勢設定手段、最小発射勢設定手段）
９３    ベース側下限ストッパ（最小発射勢設定手段）
１００  発射操作装置
【図１】
0005769452.tif 000002
【図２】
0005769452.tif 000003
【図３】
0005769452.tif 000004
【図４】
0005769452.tif 000005
【図５】
0005769452.tif 000006
【図６】
0005769452.tif 000007
【図７】
0005769452.tif 000008
【図８】
0005769452.tif 000009
【図９】
0005769452.tif 000010
【図１０】
0005769452.tif 000011
【図１１】
0005769452.tif 000012